(57)【要約】【課題】２種類のブロックを変幻自在に立体的に並べられるようにする。【解決手段】１個の台座１の連結部５；６のうちの１個ともう１個の台座１の被連結部７；８のうちの１個とが互いに上下方向で嵌め合わされることにより、複数個の台座１が互いに平面状に連結された状態になり、先攻の競技者と後攻の競技者とがブロック２；３を１個ずつ交互に台座１の上に積み上げるか又は台座１に積み上げられたブロック２の上に積み上げるか又は台座１に積み上げられたブロック３の上に積み上げて行き、同種類のブロック２又は同種類のブロック３が連結された台座１に対して平面上に横又は斜めに又は上下方向に斜めに又は垂直上に一列に競技ルールとして競技を行なう競技者により予め決められた個数並ぶことにより、その並べられた方のブロックを使用した競技者が勝者になるという立体ゲームを行なえる。【選択図】図１
2013154030.tif 000002
【特許請求の範囲】
【請求項１】
台座の上に複数種類のブロックを立体的に並べて、勝負を競う立体ゲーム器であって、台座が板状の土台と土台の側面に設けられて複数個の土台どうしを平面的に連結する連結部と土台の側面に上記連結部と別に設けられて複数個の土台どうしを平面的に連結する被連結部と土台の上面部に設けられたブロック受部とを備え、複数種類のブロックが板状の土台と土台の上面部に設けられた嵌合部と土台の底面部に設けられて上記嵌合部又は上記ブロック受部に嵌め合わされる被嵌合部とを備えたことを特徴とする立体ゲーム器。
【請求項２】
複数種類のブロックが２種類であり、１種類のブロックの土台が円盤形状であり、もう１種類のブロックの土台が十字形状であることを特徴とする請求項１記載の立体ゲーム器。
【請求項３】
連結部及び被連結部が平面視鳩尾状であることを特徴とする請求項１記載の立体ゲーム器。
【発明の詳細な説明】
【技術分野】
【０００１】
本発明は、台座の上に複数種類のブロックを立体的に並べて、勝負を競う立体ゲーム器に関する。
【背景技術】
【０００２】
特許文献１の段落００１１と図１及び図３には、立体ゲーム器が記載されている。この特許文献１に示された立体ゲーム器は、立体収容体が３行３列の９個の収容部を水平状に並べたものを３段に積層した構造であり、２人の競技者が上記立体収容体の合計２７個の収容部に２種類のブロックを１個ずつ交互に挿入して立体的に並べて、勝負を競う構造になっているので、２種類のブロックを変幻自在に立体的に並べることができないという欠点がある。
【先行技術文献】
【特許文献】
【０００３】
【特許文献１】特開２００６−７５３４４号公報
【発明の概要】
【発明が解決しようとする課題】
【０００４】
本発明は、上記背景技術に鑑みてなされたものであり、複数種類のブロックを変幻自在に立体的に並べられるようにすることを目的とする。
【課題を解決するための手段】
【０００５】
本発明は、台座の上に複数種類のブロックを立体的に並べて、勝負を競う立体ゲーム器であって、台座が板状の土台と土台の側面に設けられて複数個の土台どうしを平面的に連結する連結部と土台の側面に上記連結部と別に設けられて複数個の土台どうしを平面的に連結する被連結部と土台の上面部に設けられたブロック受部とを備え、複数種類のブロックが板状の土台と土台の上面部に設けられた嵌合部と土台の底面部に設けられて上記嵌合部又は上記ブロック受部に嵌め合わされる被嵌合部とを備えたことを主要な特徴とする。
【発明の効果】
【０００６】
本発明は、例えば、１個の土台の連結部ともう１個の土台の被連結部とを互いに嵌め合わせるというように、連結部と被連結部とを利用して複数個の台座が平面状で直線状又は格子状又はＬ字状等の造形を描く平面的な連結台座を構成することができ、その連結された台座の上に複数種類のブロックの種類に対応する人数の競技者が互いに別々の種類のブロックを交互に台座の上に積み上げるか又は台座に積み上げられたブロックの上に積み上げて行きとうように変幻自在に立体的に並べることができるという効果がある。本発明では、複数種類のブロックが２種類であり、１種類のブロックの土台が円盤形状であり、もう１種類のブロックの土台が十字形状であれば、２種類のブロックを容易に識別することができるという効果がある。又、本発明では、連結部及び被連結部が平面視鳩尾状であれば、上下方向での嵌め合いの操作が容易になるという効果がある。
【図面の簡単な説明】
【０００７】
【図１】実施の形態に係る立体ゲーム器を示す分解斜視図。
【図２】Ａ図は実施の形態に係る台座を裏側から示す斜視図、Ｂ図は実施の形態に係る１種類のブロックを裏側から示す斜視図、Ｃ図は示す実施の形態に係る別の種類のブロックを裏側から示す斜視図。
【図３】Ａ図は実施の形態に係る連結台座を示す斜視図、Ｂ図は実施の形態に係る同種類の３個のブロックが連結台座に対し平面上に横又は斜めに一列に並べられた状態を示す斜視図。
【図４】Ａ図は実施の形態に係る同種類の３個のブロックが連結台座に対し上下方向に斜めに一列に並べられた状態を示す斜視図、Ｂ図は実施の形態に係る同種類の３個のブロックが連結台座に対し垂直上に一列に並べられた状態を示す斜視図。
【図５】Ａ図乃至Ｆ図は実施の形態に係る連結台座の種々の造形を示す斜視図。
【発明を実施するための形態】
【０００８】
本明細書における「前」、「後」、「左」、「右」、「上」、「下」の方向は、図１の状態に台座１とブロック２；３とを置いて矢印Ｓで示す前側から見た場合に特定される方向である。
【０００９】
図１を参照し、実施の形態に係る立体ゲーム器の構造について説明する。立体ゲーム器は、台座１と２種類のブロック２；３とを備える。台座１は、土台４の側面部に２個の連結部５；６と２個の被連結部７；８とを備え、土台４の上面部に１個のブロック受部９を備える。２個の連結部５；６と２個の被連結部７；８とが、土台４の上面部に平行な平面において当該平面の中心を通って互いに直交する２本の直線が土台４の側面部に交差する４箇所に分かれて１個ずつ設けられる。連結部５；６と被連結部７；８とは、複数個の台座１どうしを互いに平面状に連結するものである。連結部５；６としては、土台４の側面部から土台４の直径方向外側に突出する凸部により構成されたものを例示する。被連結部７；８としては、土台４の側面部で土台４の直径方向内側と外側と土台４の底面部とに開口するように窪む凹部により構成されたものを例示する。
【００１０】
例えば、図１における連結部５；６のうちの１個と図１に図示をしていない別の台座における被連結部のうちの１個とが互いに上下方向で嵌め合わされるか、又は、図１における被連結部７；８のうちの１個と図１に図示をしていない別の台座の連結部のうちの１個とが互いに上下方向で嵌め合わされることにより、図１における上面部１０に平行な方向に離れないように、図１における台座１と図１に図示をしていない台座とが互いに平面状に連結された状態になる。図１に図示をしていない台座は、図１における台座１と同じ大きさで同じ形である。尚、連結部５；６と被連結部７；８とによる離れないようになる造形については、図２のＡ図で説明する。
【００１１】
図１では、１個の連結部５と１個の被連結部７とは土台４の中心を通る１本の直線が土台４の側面部と交差する２箇所に分かれて設けられ、別の１個の連結部６と別の１個の被連結部８とは土台４の中心を通る別の１本の直線が土台４の側面部と交差する別の２箇所に分かれて設けられる。上記土台４の中心を通る１本の直線と上記土台４の中心を通る別の１本の直線とは土台４の上面部に平行な平面上で直交する２本の直線である。よって、連結部５；６が土台４の側面部を土台４の中心を中心として１周する方向に９０度離れ配置され、被連結部７；８が土台４の側面部を土台４の中心を中心として１周する方向に９０度離れ配置され、連結部５；６と被連結部７；８とが土台４の側面部を土台４の中心を中心として１周する方向に９０度ずつ離れて配置された構成である。
【００１２】
上記土台４に対する連結部５；６と被連結部７；８との構成により、図１における連結部５；６のうちの１個と図１に図示をしていない別の台座における被連結部のうちの１個とが互いに上下方向で嵌め合わされるか、又は、図１における被連結部７；８のうちの１個と図１に図示をしていない別の台座の連結部のうちの１個とが互いに上下方向で嵌め合わされるというように、複数個の台座１が平面状で直線状又は格子状又はＬ字状等の造形を描く平面的な連結台座を構成する。連結台座については図３のＡ図及び図５で説明する。
【００１３】
図１に戻り、例えば、台座１の土台４として８角形の板状のものを例示して説明する。土台４は、平面視８角形の上面部１０から８個の側面部１１；１２；１３；１４；１５；１６；１７；１８を土台４の後側に向けて直角に突出した造形である。土台４の中心を通る１本の直線が交差する２個の側面部１７；１３には連結部５と被連結部７とが別々に設けられ、土台４の中心を通るもう１本の直線が交差する２個の側面部１１；１５には連結部６と被連結部８とが別々に設けられる。土台４としては、８角形の板状に限定されるものではなく、方形又は円形又は楕円形な板状であってもよい。土台４の上面部１０の中心部に設けられたブロック受部９は、中心部に平面視円形で上面部１０より下方内部に窪む有底状の肉取部１９を備えた、円筒状の凸部により構成されたものを例示する。
【００１４】
図１において、２種類のブロック２；３について説明する。以下、２種類のブロック２；３のうちの１種類のブロック２をブロック２と言い、２種類のブロック２；３のうちのもう１種類のブロック３をブロック３と言う。ブロック２は、円盤形状の土台２１の上面部の中心に嵌合部２２を備える。嵌合部２２は、中心部に平面視円形で上下方向に貫通する円形孔２３を備えた、円筒状の凸部により構成されたものを例示する。ブロック３は、十字形状の土台２４の上面部の中心部に嵌合部２５を備える。嵌合部２５は、中心部に平面視十字形で上下方向に貫通する十字形孔２６を備えた、円筒状の凸部により構成されたものを例示する。土台２１が円盤形状に限定されるものではなく、土台２４が十字形状に限定されるものではないが、土台２１；２４の形状が互いに異なれば、２種類のブロック２；３を容易に識別することができる。ブロック２が嵌合部２２よりも直径の大きな土台２１を備えた構成であるので、土台２１の底面部を例えばテーブル等の上に置くことにより、ブロック２が倒れることのないように安定して置かれる。ブロック３が嵌合部２５よりも直径の大きな土台２４を備えた構成であるので、土台２４の底面部を例えばテーブル等の上に置くことにより、ブロック３が倒れることのないように安定して置かれる。
【００１５】
図１に示すブロック２；３において、土台２１の上面部の中心を中心とする直径と土台２４の上面部の中心直径とは、同じ寸法であり、土台２１の被嵌合部２８の（図２のＢ図参照）又は土台２４の被嵌合部２９がブロック受部９に嵌め込まれて台座１の土台４の上に置かれた場合に、土台２１又は土台２４が土台４よりも横方向外側に突出しない大きさである。又、嵌合部２２の土台２１の上面部からの高さと嵌合部２５の土台２４の上面部からの高さとは同じ寸法である。又、台座１と２種類のブロック２；３とにおいて、ブロック受部９の直径と嵌合部２２の直径と嵌合部２５の直径とは同じ寸法である。
【００１６】
図２を参照し、実施の形態に係る台座１とブロック２；３の裏面側の構造について説明する。図２のＡ図に示すように、連結部５；６と被連結部７；８とは、平面視鳩尾状になっている。連結部５；６の平面視鳩尾状とは、連結部５；６における土台４の上面部１０の中心を中心として１周する方向の横幅が、側面部１１；１７から土台４の直径方向外側に行く従って徐々に大きくなる造形である。被連結部７；８の平面視鳩尾状とは、被連結部７；８における土台４の上面部１０の中心を中心として１周する方向の横幅が、側面部１３；１５から土台４の直径方向内側に行く従って徐々に大きくなる造形である。又、台座１の土台４には、肉取部２７が底面部より上面部１０の側に窪むと共に側面部１１乃至１８と連結部５；６とで囲まれかつ被連結部７；８により土台４の外側に繋がる造形に設けられる。
【００１７】
よって、図２のＡ図に示した台座１における連結部５；６のうちの１個が図２のＡ図に図示をしていない別の台座における被連結部のうちの１個に下方から嵌め合わされることにより、図２のＡ図に示した台座１と図２のＡ図に図示をしていない別の台座とが互いに図２のＡ図に示した土台４の上面部１０に平行な方向に離れないようになり、又、図２のＡ図に示した台座１における被連結部７；８のうちの１個が図２のＡ図に図示をしていない別の台座の連結部のうちの１個に上方から嵌め合わされることにより、図２のＡ図に示した台座１と図２のＡ図に図示をしていない別の台座とが互いに図２のＡ図に示した土台４の上面部１０に平行な方向に離れないように連結された態様になる。
【００１８】
図２のＢ図に示すように、ブロック２の土台２１には、被嵌合部２８が底面部より嵌合部２２の側に窪む造形に設けられる。被嵌合部２８は図１のＡ図に示すブロック受部９又は図２のＣ図に示す嵌合部２５に嵌め合わされる窪みである。被嵌合部２８が図１のＡ図に示すブロック受部９に嵌め合わされると、図２のＢ図に示す土台２１の底面部が図１のＡ図に示す土台４の上面部に接触する。又、被嵌合部２８が図２のＣ図に示す嵌合部２５に嵌め合わされると、図２のＢ図に示す土台２１の底面部が図２のＣ図に示す土台２４の上面部に接触する。被嵌合部２８は、円形孔２３に繋がっている。
【００１９】
図２のＣ図示すように、ブロック３の土台２４には、被嵌合部２９が底面部より嵌合部２５の側に窪む造形に設けられる。被嵌合部２９は、図１のＡ図に示すブロック受部９又は図２のＢ図に示す嵌合部２２に嵌め合わされる窪みである。被嵌合部２９が図１のＡ図に示すブロック受部９に嵌め合わされると、図２のＣ図に示す土台２４の底面部が図１のＡ図に示す土台４の上面部１０に接触する。又、被嵌合部２９が図２のＢ図に示す嵌合部２２に嵌め合わされると、図２のＣ図に示す土台２４の底面部が図２のＢ図に示す土台２１の上面部に接触する。被嵌合部２９は、十字形孔２６に繋がっている。
【００２０】
図２のＢ図に示す土台２１の底面部からの高さと図２のＣ図示す土台２４の底面部からの高さとが同じ寸法であり、図２のＢ図に示す被嵌合部２８における土台２１の底面部からの深さと図２のＣ図示す被嵌合部２９における土台２４の底面部からの深さとが同じ寸法であるので、被嵌合部２８又は被嵌合部２９が図１に示すブロック受部９に嵌め合わされると、土台２１の底面部又は土台２４の底面部が図１に示す土台４の上面部１０に接触してブロック２又はブロック３が台座１の上に置かれた場合には、ブロック２の台座１からの高さとブロック３の台座１からの高さが同じになる。又、図２のＢ図に示す被嵌合部２８が図１に示すブロック３の嵌合部２５に嵌め込まれてブロック２がブロック３の上に置かれるか又は図２のＣ図に示す被嵌合部２９が図１に示すブロック２の嵌合部２２に嵌め込まれてブロック３がブロック２の上に置かれた場合には、ブロック２のブロック３からの高さとブロック３のブロック２からの高さが同じになる。
【００２１】
図１及び図２のＡ図乃至Ｃ図において、台座１のブロック受部９とブロック２；３における嵌合部２２；２５の外形が同じ直径の円柱状であり、ブロック２；３における被嵌合部２８；２９がブロック受部９と嵌合部２２；２５とに嵌め合わされる平面視円形な窪みになっているので、ブロック２；３を台座１の上に置く場合におけるブロック受部９と被嵌合部２８；２９との嵌め合いが容易であるばかりでなく、ブロック２；３を互いに積み上げる場合における嵌合部２２；２５と被嵌合部２８；２９との嵌め合いが容易である。つまり、ブロック２；３を台座１の上に積み上げる操作とブロック２；３を互いに積み上げる操作とが容易である。
【００２２】
図３を参照し、実施の形態に係る立体ゲーム器を用いた勝負を競う競技について説明する。図３のＡ図では、９個の台座１からなる平面的な１個の連結台座３１を例示する。図３のＡ図に示す連結台座３１は、９個の図１に示した台座１が平面的に３行３列の格子状となるように互いに連結された造形である。
【００２３】
そして、２人の競技者のうちの一方の競技者が先攻となって図１に示すブロック２を使用し、２人の競技者のうちの他方の競技者が後攻となって図２に示すブロック３を使用する競技を例として説明すると、先攻の競技者が１個のブロック２を図３のＡ図に示す中央における台座１の上に置く。その場合、１個のブロック２の図２のＢ図に示す被嵌合部２８が図３のＡ図に示す中央における台座１のブロック受部９に上方から被せられるように嵌め合わされる。
【００２４】
その後、後攻の競技者が１個のブロック３を上記図３のＡ図に示す中央における台座１の上に置かれたブロック２の上に置くか又は上記中央の台座１以外の周辺における１個の台座１の上に置く。その場合、１個のブロック３の図２のＣ図に示す被嵌合部２９が上記図３のＡ図に示す中央における台座１の上に置かれたブロック２の図２のＢ図に示す嵌合部２２に上方から被せられるように嵌め合わされるか又は図３のＡ図に示す周辺における１個の台座１のブロック受部９に上方から被せられるように嵌め合わされる。
【００２５】
このように、先攻の競技者と後攻の競技者とがブロック２；３を１個ずつ交互に台座１の上に積み上げるか又は台座１に積み上げられたブロック２の上に積み上げるか又は台座１に積み上げられたブロック３の上に積み上げて行き、同種類のブロック２又は同種類のブロック３が連結台座３１に対して一列に３個並ぶことにより、その並べられた方のブロックを使用した競技者が勝者になる。つまり、先攻の競技者と後攻の競技者とがブロック２；３を１個ずつ交互に台座１の上に積み上げるか又は台座１に積み上げられたブロック２の上に積み上げるか又は台座１に積み上げられたブロック３の上に積み上げて行き、同種類のブロック２又は同種類のブロック３が連結台座３１に対して平面上に横又は斜めに又は上下方向に斜めに又は垂直上に一列に競技ルールとして競技を行なう競技者により予め決められた個数並ぶことにより、その並べられた方のブロックを使用した競技者が勝者になるという立体ゲームを行なうことができる
【００２６】
例えば、９個の台座１からなる平面的な１個の連結台座３１を使用する競技の場合には、先攻の競技者がブロック２を中央の台座１の上に置くことにより、競技が始まります。その後、後攻の競技者と先攻の競技者とがブロック２とブロック３とを１個ずつ交互に台座１の上に積み上げるか又は台座１に積み上げられたブロック２の上に積み上げるか又は台座１に積み上げられたブロック３の上に積み上げて行き、３個のブロック２又は３個のブロック３というように３個の同種類のブロックが平面上に一列に並ぶように揃うか又は上下方向の斜めに一列に並ぶように揃うか又は垂直上に一列に並ぶように揃うことで勝負が決まるので、競技者は平面的なマルバツゲームよりも多くの戦略を立てることができる。
【００２７】
例えば、図３のＢ図は３個のブロック２が連結台座３１に対し平面上に横又は斜めに一列に並べられた状態を示し、図４のＡ図は３個のブロック２が連結台座３１に対し上下方向に斜めに一列に並べられた状態を示し、図４のＢ図は３個のブロック２が連結台座３１に対し垂直上に一列に並べられた状態を示す。このように３個のブロック２が一列に並べられた場合はブロック２を使用した競技者の勝ちになる。図３のＢ図と図４のＡ図及び図４のＢ図において、３個のブロック２に代替し、３個のブロック３が一列に並べられた場合はブロック３を使用した競技者の勝ちになる。又、図３のＢ図では、３個のブロック２又は３個のブロック３が横又は斜めに一列に並ぶ並び方は全部で８通りある。又、図４のＡ図では、３個のブロック２又は３個のブロック３が横又は斜めに一列に並ぶ並び方は全部で８通りある。又、図４のＡ図では、ブロック２を図示した以外に、３個のブロック２又は３個のブロック３が横又は斜めに一列に並ぶ並び方は全部で９通りある。
【００２８】
又、実施の形態に係る立体ゲーム器のよる勝負に対しする得点の決め方について説明する。図３のＢ図に示すように３個のブロック２が連結台座３１に対し平面上に横又は斜めに一列に並べられた場合には得点として１ポイントをブロック２の使用者たる競技者に与え、図４のＡ図に示すように３個のブロック２が連結台座３１に対し上下方向に斜めに一列に並べられた場合には得点として２ポイントをブロック２の使用者たる競技者に与え、図４のＡ図に示すように３個のブロック２が連結台座３１に対し垂直上に一列に並べられた場合には得点として３ポイントをブロック２の使用者たる競技者に与えるように、勝負に対しする得点をブロック２の並び方により決めることも可能である。図３のＢ図と図４のＡ図及び図４のＢ図において、３個のブロック２に代替し、３個のブロック３が一列に並べられた場合も勝負に対する得点をブロック３の並び方により決めてもよい。
【００２９】
９個の台座１からなる平面的な１個の連結台座３１の造形は、図３のＡ図に示す外に、例えば、図５のＡ図乃至Ｆ図に示すような種々の造形が考えられる。この図５のＡ図乃至Ｆ図に示すような造形の連結台座３１の場合の競技ルールとしては、例えば、後攻の競技者が連結台座３１の造形を図５のＡ図乃至Ｆ図の何れかの形に作り、先攻の競技者が１個のブロック２を上記作られた造形の連結台座３１のうちの１個の台座１の上に置くことで競技が始まるようにすることもできる。尚、ブロック２；３を一列に並べる個数は、３個に限定されるものではく、競技ルールとして競技を行なう競技者により予め決められた個数であればよく、又、２個又は４個以上であってもよい。
【００３０】
又、図示は省略するが、連結台座３１を構成する台座１の個数は９個に限定されるものでなく、単数でも２個乃至８個でも１０個以上でもよい。又、連結台座３１の造形としては、複数個の台座１を横に一列に並べてもよい。又、台座１を使用することなく、先攻の競技者と後攻の競技者とがブロック２及びブロック３を１個ずつ交互に垂直上に一列に倒れるまで積み上げて行き、倒れる直前の１個のブロック２又はブロック３を使用した競技者が勝者になるという競技も可能である。
【００３１】
ブロック２；３は、同じ大きさで同じ形に構成して色彩の違い又は図１示す嵌合部２２；２５の上面部に設けられる円形孔２３と十字形孔２６というような孔の形の違いにより種類が異なるように構成してもよい。又、連結部５；６と被連結部７；８とは、平面視鳩尾状に限定されるのではく、複数個の台座１を平面状に連結した場合に、土台４の上面部１０に平行な方向に離れないように連結された態様を維持する構造であればよい。複数個の台座１を平面状に連結する場合において、一方の台座１の連結部５；６の一方と他方の台座１の被連結部７；８の一方とが上下方向で嵌め合わされる嵌め合い構造に限定されるものではなく、一方の台座１の連結部５；６の一方と他方の台座１の被連結部７；８の一方とが土台４の上面部１０に平行な方向で嵌め合わされる嵌め合い構造でもよい。又、連結部５；６が凸部で被連結部７；８が凹部に限定されるものではなく、連結部５；６が凹部で被連結部７；８が凸部であるか、又は、永久磁石による磁力を利用した連結構造でもよい。又、ブロック受部９及び嵌合部２２；２５の外形は、円柱状よりもブロック２；３を積み上げる操作は低下するが、角柱状でもよい。又、土台４の側面部を土台４の中心を中心として１周する方向に９０度ずつ離れて、連結部５の隣に被連結部７が設けられ、被連結部７の隣に連結部６が設けられ、連結部６に隣に被連結部８が設けられ、被連結部８の隣に連結部５が設けられるといように、連結部５；６と被連結部７；８とが１個ずつ交互に設けられた構成でもよい。又、ブロックの種類としては、２種類のブロック２；３に限定されるものではなく、３種類以上であってもよい。又、土台２１；２４は、Ｙ字形状又はＩ字形状又は三角形状又は四角形形状又は楕円形状でもよい。
【符号の説明】
【００３２】
１は台座、２；３はブロック、４は土台、５；６は連結部、７；８は被連結部、９はブロック受部、１０は上面部、１１乃至１８は側面部、１９は肉取部、２０は欠番、２１は土台、２２は嵌合部、２３は円形孔、２４は土台、２５は嵌合部、２６は十字形孔、２７は肉取部、２８は被嵌合部、２９は被嵌合部、３０は欠番、３１は連結台座。
【図１】
2013154030.tif 000003
【図２】
2013154030.tif 000004
【図３】
2013154030.tif 000005
【図４】
2013154030.tif 000006
【図５】
2013154030.tif 000007